(57)【要約】      （修正有）【課題】ユーザーによる異なる楽曲または自身の作曲で、美しい音楽を奏でる作曲自在のオルゴール構造を提供する。【解決手段】作曲自在のオルゴール構造は、主に異なる音階を発するバネ片個体１１から構成される櫛形バネ板１、およびモーター２１によって動くシリンダー２、および複数の差込ピン３を含む。そのうち、該シリンダーの表面は櫛形バネ板に対応し、且つ間隔排列した複数個の差込孔２３を設ける。使用時、ユーザーが異なる楽曲または自身が作成した曲をもとに、差込ピンをシリンダーの異なる差込孔に挿入する。そしてモーターがシリンダーを回転させると、差し込んだ差込ピンが櫛形バネ板の異なる位置のバネ片個体を順々に弾き、美しい音楽を奏で、オルゴールに更なる実用価値を備えさせる。【選択図】図１
0003232421.tif 000002
【実用新案登録請求の範囲】
【請求項１】
異なる音階を発する複数のバネ片個体から構成される櫛形バネ板と、
モーターに枢設し、表面は前記櫛形バネ板の前記複数のバネ片個体に対応し、且つ間隔をあけて配列する複数の差込孔を設けるシリンダーと、
前記シリンダーの前記複数の差込孔に挿入するための複数の差込ピンと、
から構成された作曲自在のオルゴール構造において、
ユーザーによる異なる楽曲または自身の作曲のため、前記複数の差込ピンを前記シリンダーの異なる差込孔に挿入し、且つ前記差込ピンを適する高さに突出させ、前記モーターが前記シリンダーを回転させる時、挿入された前記複数の差込ピンによって、前記櫛形バネ板の異なる位置の前記複数のバネ片個体を順々に弾き、美しい音楽を奏でることを特徴とする作曲自在のオルゴール構造。
【請求項２】
前記櫛形バネ板および前記モーターおよび前記シリンダーは、台座体に設けることを特徴とする請求項１記載の作曲自在のオルゴール構造。
【請求項３】
前記台座体は、閉合する上蓋を設けることで、防塵効果を有し、且つ携帯移動収納しやすいことを特徴とする請求項２記載の作曲自在のオルゴール構造。
【請求項４】
前記モーターは設定ボタンに接続し、前記シリンダーの間隔回転を制御し、前記差込ピンの差込をしやすくすることを特徴とする請求項１記載の作曲自在のオルゴール構造。
【考案の詳細な説明】
【技術分野】
【０００１】
本考案は、作曲自在のオルゴール構造に関するもので、特にユーザーによる異なる楽曲または自身の作曲で、美しい音楽を奏でる作曲自在のオルゴール構造である。
【背景技術】
【０００２】
一般のオルゴールの構造は、通常台座体に櫛形バネ板およびシリンダーを設け、該シリンダーの表面には異なる音階によって凸点を設置する。バネが該シリンダーを回転させることで、異なる位置の凸点が櫛形バネ板の異なる位置のバネ片を弾き、美しい音楽を奏でる。これらオルゴールはシリンダー表面の凸点が固定式であるため、既定デザインの音楽しか奏でることができず、思う通りの音楽コンテンツにすることができないのは従来のオルゴールの大きな欠点である。
【０００３】
出願人はこれらを鑑み、研究、実験を重ね、遂に作曲自在のオルゴール構造を制作したことで、オルゴールはユーザーによる異なる楽曲または自身の作曲で美しい音楽を奏でることができる。
【先行技術文献】
【特許文献】
【０００４】
【特許文献１】特開2008-112182号公報
【考案の概要】
【考案が解決しようとする課題】
【０００５】
オルゴールは、ユーザーによる異なる楽曲または自身の作曲で美しい音楽を奏で、オルゴールに更なる実用価値を備えさせる作曲自在のオルゴール構造を提供することを本考案の主な課題とする。
【課題を解決するための手段】
【０００６】
前述の作曲自在のオルゴール構造は、異なる音階を発するバネ片個体から構成される櫛形バネ板、およびモーターによって動くシリンダー、および複数の差込ピンを含む。そのうち、該シリンダーの表面は櫛形バネ板に対応し、且つ間隔排列した複数個の差込孔を設ける。使用時、ユーザーが異なる楽曲または自身が作成した曲をもとに、差込ピンをシリンダーの異なる差込孔に挿入する。そしてモーターがシリンダーを回転させると、差し込んだ差込ピンによって、櫛形バネ板の異なる位置のバネ片個体を順々に弾き、美しい音楽を奏で、オルゴールに更なる実用価値を備えさせる。
【０００７】
前述の作曲自在のオルゴール構造の櫛形バネ板およびモーターによって動くシリンダーは台座体に設ける。
【０００８】
前述の作曲自在のオルゴール構造の該台座体は、ピン収納箱を設置し、そこに差込ピンを収納する。
【０００９】
前述の作曲自在のオルゴール構造の該モーターは、台座体から露出した設定ボタンを接続し、シリンダーの間隔回転を制御し、差込ピンを挿入しやすくする。
【００１０】
前述の作曲自在のオルゴール構造の該台座体は、閉合する上蓋を設けることで、防塵効果を有し、且つ携帯移動収納しやすい。
【考案の効果】
【００１１】
本考案の作曲自在のオルゴール構造は、ユーザーによる異なる楽曲または自身の作曲で美しい音楽を奏でるという利点がある。
【図面の簡単な説明】
【００１２】
【図１】本考案の立体図である。
【図２】本考案の差込ピン設定状態図である。
【図３】本考案の動作状態図である。
【図４】本考案の設置状態図である。
【図５】本考案の人形に応用した立体図である。
【考案を実施するための形態】
【実施例】
【００１３】
図１に示すのは、本考案の立体図である。図に示すとおり、本考案は櫛形バネ板１およびモーター２１によって動くシリンダー２および複数の差込ピン３を含む。
そのうち該櫛形バネ板１は動かした時に異なる音階を発する複数のバネ片個体１１を設ける。
該シリンダー２は支持体２２に設置し、一端は支持体２２から挿入された後、モーター２１に枢設され、モーター２１がシリンダー２を適する速度で回転させる。シリンダー２の表面は櫛形バネ板１のバネ片個体１１に対応し、且つ間隔配列した複数個の差込孔２３を設け、該各列の各差込孔２３は一個の音階（Ｄｏ、Ｒｅ、Ｍｉ・・・）を代表し、各列のすべての音階が組み合わさり、旋律を構成する。
【００１４】
本実施例において、前述の櫛形バネ板１およびシリンダー２、シリンダー２を支持する支持体２２は台座体４に設置する。また該台座体４の適する位置にはピン収納箱４１を設けてそこに複数の差込ピン３を収納する。更に該台座体４にはモーター２１に接続して台座体４から露出する設定ボタン４２および稼働ボタン４３を設置してモーター２１の回転間隔および稼働を制御する。本実施例において、該台座体４は台座体４に沿って閉じる上蓋４４を設け、該台座体４上方で蓋する。
【００１５】
前述部材の組み合わせにより、作曲自在のオルゴール構造が構成される。使用時、ユーザーが異なる楽曲または自身が作成した曲をもとに、差込ピン３をシリンダー２の異なる差込孔２３にそれぞれ挿入し、且つ差込ピン３を適する高度で突出させる。そしてモーター２１がシリンダー２を回転させると、差し込んだ差込ピン３が櫛形バネ板１の異なる位置のバネ片個体１１を弾いて美しい音楽を奏で、オルゴールに更なる実用価値を備えさせる。
【００１６】
図２は本考案の差込ピン設定状態図である。図に示すとおり、本考案の使用時、設定ボタン４２を押すことで、モーター２１が間隔回転する。一回の回転に付き、シリンダー２の差込孔２３を一列分距離、または適する幅距離を移動させ、適する範囲が空き、異なる楽曲または自身の作曲にもとづき差込ピン３をシリンダー２の異なる差込孔２３に挿入し、且つ差込ピン３を適する高さに突出させる。
【００１７】
図３は、本考案の動作状態図である。図に示すとおり、本考案は前述設定完成後、稼働ボタン４３でモーター２１を動かし、相対するシリンダー２を適する速度で回転させ、シリンダー２が回転している間、シリンダー２表面に設置した差込ピン３が櫛形バネ板１の異なる位置のバネ片個体１１を弾き、それにより、ユーザーによる異なる楽曲または自身作曲の音楽を奏でる。
【００１８】
図４は、本考案の收置状態図である。図に示すとおり、本考案は使用しない時、台座体４の上蓋４４を閉じることで、防塵効果を達成し、櫛形バネ板１、シリンダー２、モーター２１および差込ピン３等部材が汚れるのを防止し、且つ携帯移動および収納しやすい。
【００１９】
図５は、本考案を人形に応用した立体図である。図に示すとおり、本考案は前述のとおり、自在な作曲のオルゴールの他に、その他の物品を結合して納置しても良い。本実施例では台座体４をぬいぐるみ５で覆うことでぬいぐるみ５から美しい音楽が流れ、且つユーザーは異なる楽曲または自身の作曲音楽でオルゴールの実用価値を十分に高める。
【００２０】
前述実施例は、本考案の良好な実施方式を説明するためだけのものであり、本考案の請求範囲を制限するものではない。拠って、僅かな修飾、変更等はすべて本考案の請求範囲に属するものとする。
【００２１】
上述のとおり、本考案は、櫛形バネ板および差込孔を設けたシリンダー、シリンダーの異なる位置の差込孔に挿入した差込ピンによって作曲自在のオルゴール構造が構成される。オルゴールがユーザーによる楽曲または自身の作曲で美しい音楽を奏で、オルゴールに更なる実用価値を備えさせる。実用的なデザインと新奇性を有する創作により、実用新案登録を申請する。
【符号の説明】
【００２２】
１        櫛形バネ板
１１        バネ片個体
２        シリンダー
２１        モーター
２２        支持体
２３        差込孔
３        差込ピン
４        台座体
４１        ピン収納箱
４２        設定ボタン
４３        稼働ボタン
４４        上蓋
５        ぬいぐるみ
【図１】
0003232421.tif 000003
【図２】
0003232421.tif 000004
【図３】
0003232421.tif 000005
【図４】
0003232421.tif 000006
【図５】
0003232421.tif 000007